(57)【特許請求の範囲】
【請求項１】
以下の工程を含む、ワイヤレス信号及びモバイルメッセージングを手段とする、プロモーター、視聴者、及び、プロモーションオペレーター間の信号を伝達する方法；
(i)モバイル機器を使用して、視聴者が、プロモーションオペレーターモバイルアプリをインストールする工程；
(ii)視聴者に関連する情報を含む調査フォームである、視聴者の人口統計記入用紙の視聴者バージョンに、視聴者が入力する工程；
(iii) 前記視聴者の人口統計記入用紙に含まれる情報をプロモーションオペレーターのプラットフォームにアップロードする工程；
(iv)プロモーションオペレータープラットフォームのプロモーションオペレーターが、前記視聴者の人口統計記入用紙から特性を抽出する工程；
(v)特定の人口統計を表す、視聴者に関連する１つ以上のパラメーターコードをプロモーションオペレーターが作成する工程；
(vi)プロモーションオペレーターが、１つ以上の前記パラメーターコードを用いて、１つ以上のカテゴリーに視聴者を分類する工程；
(vii)プロモーションオペレーターが、特徴付けられたワイヤレス信号を前記パラメーターコードに割り当てる工程；
(viii)プロモーションオペレーターが、１つ以上の前記パラメーターコードを視聴者に返送する工程；
(ix)１つ以上の前記パラメーターコードをプロモーションオペレーターモバイルアプリと統合する工程；
(x)前記プロモーションオペレーターモバイルアプリを起動して、１つ以上の、特徴付けられた特定のワイヤレス信号を認識する工程；
(xi)プロモーターが、プロモーションメッセージをプロモーションオペレーターのプラットフォームに提出する工程；
(xii)プロモーターが目標とするカテゴリーの視聴者に配信したい、拡張されたプロモーションメッセージをプロモーターが提出する工程；
(xiii)プロモーションオペレーターにターゲットにして欲しいとプロモーターが希望する、視聴者の人口統計記入用紙を説明する視聴者の人口統計記入用紙のプロモーターバージョンに、プロモーターが入力する工程；
(xiv)プロモーションオペレーターが、視聴者の人口統計記入用紙のプロモーターバージョンから、１つ以上のパラメーターコードを作成する工程；
(xv)プロモーションオペレーターが、独自の特徴付けられたワイヤレス信号をパラメーターコードに割り当てる工程；
(xvi)特徴付けられたワイヤレス信号をプロモーターのプロモーションメッセージと統合する工程；
(xvii)端末で、プロモーションメッセージを再生すると同時に特徴付けられたワイヤレス信号がはじける工程；
(xviii)アクティブ化されたプロモーションオペレーターモバイルアプリが、端末からマッチングした特徴付けられたワイヤレス信号を認識し、それに応答する工程；
(xix) 特定の特徴付けられたワイヤレス信号によって既にアクティブ化されているモバイル機器の視聴者から、プロモーションオペレーターモバイルアプリを介して、信号をプロモーションオペレーターに誘発させる工程；
(xx)プロモーションオペレーターが、リアルタイムでプロモーションメッセージと同期させながら、拡張されたプロモーションメッセージをマッチングした視聴者のモバイル機器に配信する工程；
(xxi)１つ以上の、マッチングした拡張されたプロモーションメッセージを、視聴者のモバイル機器で受信する工程。
【請求項２】
デジタル看板又はディスプレイコンテンツで表示されるＱＲコード上の写真をクリックすることによって、前記プロモーションオペレーターモバイルアプリのインストールが開始される、請求項１に記載された方法。
【請求項３】
前記モバイル機器がスマートフォン又はタブレットである、請求項１に記載された方法。
【請求項４】
前記視聴者の人口統計記入用紙が、性別、年齢、習慣、関心のあるサービス、関心のある製品及び／又は趣味を含む、請求項１に記載された方法。
【請求項５】
前記人口統計が、一定の特性を有する視聴者における特定の区分の組み合わせである、請求項１に記載された方法。
【請求項６】
前記パラメーターコードが独自に前記人口統計を規定する、請求項１に記載された方法。
【請求項７】
前記１つ以上のカテゴリーが１つ以上の特定の特性を有する、請求項１に記載された方法。
【請求項８】
前記１つ以上のカテゴリーが、マトリックス形式で１つ以上の特性とマッチしている、請求項７に記載された方法。
【請求項９】
前記特徴付けられたワイヤレス信号が、超音波クリップ、超低周波クリップ、赤外線信号又はワイヤレスラジオ波信号の、短いワイヤレス信号として採用される、請求項１に記載された方法。
【請求項１０】
前記特徴付けられたワイヤレス信号が、１つの特定周波数、又は、いくつかの異なる周波数の組み合わせ、若しくは、決められたパターンに変調されたいくつかの異なる周波数；又は、１つの周波数レンジ、若しくは、いくつかの周波数レンジの組み合わせ、若しくは、決められたパターンに変調されたいくつかの周波数レンジ、であるように選ばれている、請求項９に記載された方法。
【請求項１１】
前記特徴付けられたワイヤレス信号が、同じ長さ又は異なる長さの短い間隔で、１回又は複数回繰り返されるパターンと同様に選ばれている、請求項10に記載された方法。
【請求項１２】
前記短い間隔パターンが、２秒乃至３秒の範囲内で繰り返される、請求項11に記載された方法。
【請求項１３】
更に、２以上の特徴付けられたワイヤレス信号を、１つのパラメーターコードに割り当てるステップを含む、請求項1に記載された方法。
【請求項１４】
更に、１つ以上のパラメーターコードを、同一の特徴付けられたワイヤレス信号に関連づけるステップを含む、請求項1に記載された方法。
【請求項１５】
前記マッチングした特徴付けられたワイヤレス信号を受信して応答し、他の関連性のない特徴付けられたワイヤレス信号を選別するように、視聴者のモバイル機器を適応させることによって、特徴付けられたワイヤレス信号の認識が達成される、請求項1に記載された方法。
【請求項１６】
前記プロモーションメッセージがビデオクリップである、請求項1に記載された方法。
【請求項１７】
前記拡張されたプロモーションメッセージが、メッセージ、ストリーミングビデオ、ウエブサイト又はインターネットリンクである、請求項1に記載された方法。
【請求項１８】
前記拡張されたプロモーションメッセージが、プロモーションオペレーターのデータベースに保存される、請求項17に記載された方法。
【請求項１９】
端末が、テレビ、デジタル看板、オーディオプレーヤー、音声送信機又はパソコンである、請求項1に記載された方法。
【請求項２０】
前記マッチングした特徴付けられたワイヤレス信号を受信して、マッチングした信号に対してアクティブ化された視聴者モバイル機器が始動し、信号をプロモーションオペレーターに送り、プロモーションオペレーターのサーバーが、マッチングした拡張されたプロモーションメッセージを視聴者のモバイル機器に送るよう要求する、請求項1に記載された方法。
【請求項２１】
前記プロモーションオペレーターモバイルアプリを介した、視聴者モバイル機器からプロモーションオペレーターへの信号が、3G又は4Gのワイヤレスインターネット接続、インターネット若しくはイントラネット若しくはその他のワイヤレス通信を介して送信される、請求項20に記載された方法。
【請求項２２】
前記プロモーションオペレーターが、プロモーションオペレーターモバイルアプリ（POApp）を介して視聴者のモバイル機器から信号を受け取り、プロモーションオペレーターのサーバーが特定の視聴者からのメッセージを受け取った時に、プロモーションオペレーターによるプロモーションメッセージの再生のために、プロモーションオペレーターのサーバーが前記拡張されたプロモーションメッセージを引き出し、プロモーションオペレーターが、プロモーションメッセージとシンクロしながらリアルタイムで前記拡張されたプロモーションメッセージをマッチングした視聴者のモバイル機器に配信する、請求項1に記載された方法。
【請求項２３】
前記マッチングした拡張されたプロモーションメッセージが、3G又は4Gワイヤレスインターネット接続、インターネット又はイントラネット若しくはあらゆるワイヤレス通信を介して送信される、請求項22に記載された方法。
【請求項２４】
前記視聴者のモバイル機器が、マッチングした特徴付けられたワイヤレス信号を認識することができる場合でも、プロモーターが不要な視聴者を選別する更なるステップを含む、請求項1に記載された方法。
【請求項２５】
前記視聴者のモバイル機器が、マッチングした特徴付けられたワイヤレス信号を認識することができる場合でも、視聴者が、プロモーションオペレーターからの望まない拡張されたプロモーションメッセージを選別する更なるステップ含む、請求項1に記載された方法。
【請求項２６】
前記視聴者のモバイル機器が、一定の特徴付けられたワイヤレス信号のみを認識することができる場合でも、端末からはじけたすべての特徴付けられたワイヤレス信号に反応するように視聴者のモバイル機器を順応させて、プロモーションオペレーターからのすべての拡張されたプロポーションメッセージを受信する工程を更に含む、請求項1に記載された方法。
【請求項２７】
前記視聴者が、プロモーションオペレーターからの望まない拡張されたプロモーションメッセージを選別する更なる工程を含む、請求項1又は26に記載された方法。
【請求項２８】
前記視聴者によって、即時オンライン購入がなされる更なる工程を含む、請求項1に記載された方法。
【請求項２９】
前記視聴者によってプロモーションに関するより多くの情報が得られる更なる工程を含む、請求項1に記載された方法。
【請求項３０】
後の行動のために、マッチングした拡張されたプロモーションメッセージの情報を、前記視聴者のパソコン又はモバイル機器に保存する更なる工程を含む、請求項1に記載された方法。
【請求項３１】
後の行動のために、前記マッチングした拡張されたプロモーションメッセージのコンテンツを、前記視聴者のパソコン又はモバイル機器に自動的に保存する更なる工程を含む、請求項1に記載された方法。
【請求項３２】
前記１つ又は一連の拡張されたプロモーションメッセージの別のセットを、前記視聴者のモバイル機器で受信する更なる工程を含む、請求項1に記載された方法。
【請求項３３】
モバイルメッセージング、テレビプロモーション、デジタル家庭外視聴者プロモーション、店頭プロモーション、場所特定プロモーション、アナウンス、オンラインビデオ、映画又は公共スポットに使用する、請求項1に記載された方法。
【請求項３４】
以下の構成要素からなる、ワイヤレス信号及びモバイルメッセージングによる、視聴者、プロモーター、プロモーションオペレーター及び端末間の信号を、やりとりするためのシステム；
(i)少なくとも１つの視聴者のモバイル機器；
(ii) インストールされて各視聴者のモバイル機器に流入し、端末からのマッチングした特徴付けられたワイヤレス信号を認識し反応するようにアクティブ化される、視聴者からプロモーションオペレーターに信号を誘発させ、１つ以上のマッチングした拡張プロモーションメッセージを視聴者のモバイル機器で受信するように適応されたプロモーションオペレーターモバイルアプリ；
(iii)視聴者によって入力され、入力された情報がプロモーションオペレーターのプラットフォームにアップロードされる、視聴者の関連情報を含む視聴者人口統計記入用紙の視聴者バージョンである調査用紙；
(iv)前記視聴者人口統計記入用紙の前記視聴者バージョンから特性を抽出し；特定の人口統計を表す視聴者に関連する１つ以上のパラメーターコードを作成し；視聴者を１つ以上のカテゴリーに分類するために１つ以上のパラメーターコードを用いて；特徴付けられたワイヤレス信号をパラメーターコードに割り当て；その１つ以上のパラメーターコードと、特定の特徴付けられたワイヤレス信号を認識するようにアクティブ化されたプロモーションオペレーターモバイルアプリとを統合する視聴者に、１つ以上のパラメーターコードを送り返し；視聴者人口統計記入用紙のプロモーターバージョンから１つ以上のパラメーターコードを作成し；視聴者人口統計記入用紙のプロモーターバージョンから作成されたパラメーターコードに独自の特徴付けられたワイヤレス信号を割り当て；マッチングした視聴者のモバイル機器に、プロモーションメッセージと同期した拡張されたプロモーションメッセージを、リアルタイムで配信する；サーバーにあるプロモーションオペレーターの処理ユニット又はプラットフォーム；
(v)特徴付けられたワイヤレス信号を保存する、サーバーにある少なくとも１つのデータベース；
(vi)拡張されたプロモーションメッセージを保存する、サーバーにある少なくとも１つのデータベース；
(vii)プロモーションメッセージをプロモーションオペレーターのプラットフォームに提出し、プロモーターが、目標とするカテゴリーの視聴者にプロモーターが配信したい拡張されたプロモーションメッセージを提出し、プロモーターのプロモーションメッセージと特徴付けられたワイヤレス信号を統合した；調査フォーム、視聴者人口統計記入用紙のプロモーターバージョンであって、プロモーターがプロモーションオペレーターにターゲットにすることを希望する視聴者の人口統計を記載し、プロモーターによって入力される、少なくとも１つのプロモーターの端末；
(viii)プロモーションメッセージを再生し、同時に特徴付けられたワイヤレス信号がはじける少なくとも１つの端末装置。
【請求項３５】
前記プロモーションオペレーターモバイルアプリが、デジタル看板又はディスプレイコンテントで表示されるＱＲコード上の写真をクリックすることによって起動される、請求項34に記載されたシステム。
【請求項３６】
前記モバイル機器がスマートフォン又はタブレットである、請求項34に記載されたシステム。
【請求項３７】
前記視聴者人口統計記入用紙が、性別、年齢、習慣、関心のあるサービス、関心のある製品及び／又は趣味を含む、請求項34に記載されたシステム。
【請求項３８】
前記パラメーターコードが、人口統計を独自に指定する、請求項34に記載されたシステム。
【請求項３９】
前記１つ以上のカテゴリーが１つ以上の特定の特性を有する、請求項34に記載されたシステム。
【請求項４０】
前記１つ以上のカテゴリーが、マトリックスの形式で１つ以上の特性とマッチさせられる、請求項39に記載されたシステム。
【請求項４１】
前記機器が、信号、超音波クリップ、超低周波クリップ、赤外線信号又はワイヤレスラジオ周波数信号の短いワイヤレス信号である特徴付けられたワイヤレス信号を作成するために適応された装置である、請求項34に記載されたシステム。
【請求項４２】
前記機器が、１つの特定周波数又はいくつかの異なる周波数の組み合わせ若しくは決められたパターンに変調されたいくつかの異なる周波数、又は、１つの周波数レンジ若しくはいくつかの周波数レンジの組み合わせ、若しくは決められたパターンに変調されたいくつかの周波数レンジにある信号である、特徴付けられたワイヤレス信号を作成するように構成されている、 請求項41に記載されたシステム。
【請求項４３】
前記機器が、同じ長さ又は異なる長さの短い間隔で、１回又は複数回繰り返されるパターン内の信号である、特徴付けられたワイヤレス信号を作成するように構成されている、請求項42に記載されたシステム。
【請求項４４】
前記パターンが、２秒から３秒の範囲内で繰り返される、請求項43に記載されたシステム。
【請求項４５】
前記マッチングした特徴付けられたワイヤレス信号を受信して反応し、他の関連性のない特徴付けられたワイヤレス信号を除去するように、視聴者のモバイル機器を適合させて、特徴付けられたワイヤレス信号である信号を作成するように装置が認識される、請求項34に記載されたシステム。
【請求項４６】
前記プロモーションメッセージがビデオクリップである、請求項34に記載されたシステム。
【請求項４７】
前記拡張されたプロモーションメッセージが、メッセージ、ストリーミングビデオ、ウエブサイト又はインターネットリンクである、請求項34に記載されたシステム。
【請求項４８】
前記端末装置が、テレビセット、デジタル看板、オーディオプレーヤー、音声送信機又はパソコンを包含する、請求項34に記載されたシステム。
【請求項４９】
前記サーバーが、プロモーションメッセージを保存する少なくとも１つのデータベースを含む、請求項34に記載されたシステム。
【請求項５０】
モバイルメッセージング、テレビプロモーション、デジタル家庭外視聴者プロモーション、店頭プロモーション、場所特定のプロモーション、アナウンス、オンラインビデオ、映画又は公共スポットに採用され、用いられる、請求項34に記載されたシステム。
【発明の詳細な説明】
【技術分野】
【０００１】
本発明は、ワイヤレス信号化及びモバイルメッセージングの方法による、プロモーター、視聴者、プロモーションオペレーター間の交信方法及びシステムを開示する。
【背景技術】
【０００２】
米国特許第7,010,098 B2号明細書に記載された発明には、電話機のスピーカーによって送信される超音波を発生する超音波信号発生器が含まれる対象物の接近を検出するための、電話機用の超音波接近検出装置が開示されている。
【０００３】
しかしながら、上記の発明は、受信用モバイルユニットが、プロモーションメッセージと統合された端末送信特定ワイヤレス信号から、拡張されたプロモーションメッセージを受け取るプロモーションにおいて、変調周波数を使用することを開示していない。また、上記の意図は変調周波数を使用することを開示しないということであり、この従来技術は、ワイヤレス信号が、１つ以上の属性を持つ様々な視聴者に適応する信号を出す能力を持っていないという技術的問題を依然として残している。
【０００４】
米国特許第5,864,626号明細書に記載された発明は、超音波音を含む信号を用いていくつかのブロックデータを送信するベースユニットを包含する、ストーリーテリングシステムを開示している。このシステムにはまた、伝達信号を受信する遠隔ユニットが含まれる。さらに、このシステムにおいては、遠隔受信ユニットに変調無線信号を送信する送信機が含まれる。送信される信号は、振幅変調、周波数変調及び位相変調等の何らかの適切な変調方式によって搬送波に載せられてもよい。
【０００５】
しかしながら、上記の発明は、プロモーションにおけるワイヤレス信号の使用を開示しておらず、特に、マトリックス形式を備えた様々な信号を配信することができる、高度な周波数変調の組み合わせを選択することを開示していない。そのため、現代のプロモーションモデルにおいては、プロモーションにおけるオリジナルプロモーションメッセージと統合された特定の端末送信ワイヤレス信号クリップから、拡張されたプロモーションメッセージを受信するための受信用モバイルユニットを、未だに採用することができなかった。
【０００６】
中国特許第102,592,232号明細書に記載された発明は、広告した商品の情報を広告受信者に提供するために、超音波ラベルを付けた送信信号を応用することを開示している。この発明における方法は、以下のステップからなる：広告パブリッシング装置によって送られ、超音波ラベルを備えた広告情報を受信する；ネットワーク側にチェックリクエストを送る、ここで、このチェックリクエストは超音波ラベルを携行する；そして、ネットワーク側によって送信され、超音波ラベルに対応する商品情報を受信し表示する。開示されたこの発明の方法には、広告の影響を助長するという利点がある。
【０００７】
しかしながら、上記の発明は、視聴者又は広告オペレーターによる、視聴者の人口統計的方法のような、調査用紙の内容を備えるものでは全くない。また、特定の周波数又は周波数レンジ、及び、特定の音声パターンとなるように、特徴付けられたワイヤレス信号を設計することができる、すなわち、特定の周波数又は周波数レンジ内で動作する音声パターンとなるように、それぞれ特徴付けられたワイヤレス信号を設計することができるということを、上記発明は開示していない。従って現段階では、特定の属性を有し適切な興味を持った視聴者に、適切な広告が配信されることがないという欠点がある。
【０００８】
中国特許第101,587,674 B号明細書に記載された発明は、一方向に超音波音を発生させるための機器からなる広告装置を開示している。
【０００９】
しかしながら、上記の発明は、特定の拡張されたプロモーションメッセージを含む、送信端末からのワイヤレス信号を受信する受信装置を有していない。
【００１０】
中国特許第20070050242号明細書に記載された発明は、あるエリア、ある方向での動きを感知するために配置された超音波検出器からなる、人物の位置決めのための装置を有している。
【００１１】
しかしながら、上記発明は、特定の拡張されたプロモーションメッセージを含む、送信端末からのワイヤレス信号を受信する、受信装置を有していない。
【００１２】
中国特許第202,617,290 U号明細書に記載された発明は、信号発生装置及び受信処理装置からなる、放送番組と相互作用するための超音波を用いた装置を開示している。信号発生装置は、順序正しく連結された超音波信号発生ユニット、データ変換ユニット、超音波信号及びテレビジョン信号混合ユニット、並びに、情報送出ユニットからなり、受信処理装置は、順序正しく連結された情報受信ユニット、超音波復号ユニットおよび表示出力ユニットからなり、信号発生装置によって送信される情報を受信及び処理する。
【００１３】
しかしながら、上記発明は、視聴者又は広告オペレーターによる、視聴者の人口統計的方法のような、調査用紙の内容を備えるものでは全くない。また、特定の周波数又は周波数レンジ、及び、特定の音声パターンとなるように特徴付けられたワイヤレス信号を設計することができる、すなわち、特定の周波数又は周波数レンジ内で動作する音声パターンとなるようにそれぞれ特徴付けられたワイヤレス信号を設計することができることを、上記発明は開示していない。更に、上記の意図は、サーバーにおけるプロモーションオペレーターとの交流を通した変調周波数を使用することを開示するものではない。このため、通信環境における超音波の現代の展開は、対応する属性を有する適切な興味を持った視聴者を特定することができないという欠点がある。先行技術と適合しないために、資源のむだが生じている。
【００１４】
中国特許第201,639,685 U号明細書に記載された発明は、遠隔制御装置を検出するために、テレビに超音波を使用することを開示している。
しかしながら、上記発明は、受信用モバイルユニットが広告と統合された特定のワイヤレス信号を送信する端末から拡張された広告コンテンツを受信するプロモーションにおいて、ワイヤレス信号を使用することを開示していない。
【００１５】
中国特許第101,720,034 A号明細書に記載された発明では、広告データのストリーム及びオーディオ／ビデオのストリームが、マルチプレクサー及びDVB変調器を通じて多重化され、変調されてデジタルテレビ放送網に放出される。
【００１６】
しかしながら、上記発明は、テレビの音声チャンネルに多重化され、音声チャンネルを介してモバイル機器に送信される周波数変調されたメッセージを使用することを開示しておらず、さらに、広告主が相応しくない視聴者にデータを送信して多くの資源を無駄にするという、信号の使用における組み合わせマトリックスの欠如という技術的問題が、未解決のままであった。
【先行技術文献】
【特許文献】
【００１７】
【特許文献１】米国特許第7,010,098 B2号明細書
【特許文献２】米国特許第5,864,626号明細書
【特許文献３】中国特許第102,592,232号明細書
【特許文献４】中国特許第101,587,674 B号明細書
【特許文献５】中国特許第20070050242号明細書
【特許文献６】中国特許第202,617,290 U号明細書
【特許文献７】中国特許第201,639,685 U号明細書
【特許文献８】中国特許第101,720,034 A号明細書
【発明の概要】
【発明が解決しようとする課題】
【００１８】
本発明は、ワイヤレス信号及びモバイルメッセージングを手段として、プロモーター、視聴者、プロモーションオペレーター間で信号を伝達する方法及びシステムを開示する。
【００１９】
本発明の目的は、頻繁に非常に短い時間見せられる、通信におけるプロモーションメッセージの影響を高める方法を提供することにある。
【００２０】
本発明の他の目的は、端末から生み出された、あつらえられた信号を利用することである。プロモーター及び目標とする視聴者の好みのままに、このようなあつらえられたプロモーション信号を、目標とする視聴者の特定の区分に供給することによって、プロモーターが配信しようとする拡張型のプロモーションメッセージを、目標とする視聴者が受信することになるだろう。マッチングメカニズムが発明され、目標とする視聴者とプロモーターが適合するように設計される。
【００２１】
更に、この方法及びシステムの目的は、メッセージング、プロモーション、又は、お知らせが放送モードになっていないということである。メッセージング等は、視聴者の特定タイプの選択に対して、彼らのモバイル機器を介して狙いを定めることができる。
【００２２】
本開示の更なる態様は、添付の図と併せて、以下に提供される様々な実施態様の詳細な説明を再検討することによって、より容易に理解されるだろう。
【図面の簡単な説明】
【００２３】
【図１】図１は、特徴付けられたワイヤレス信号を使用するモバイルメッセージング方法における、受信者側、送信者側及びプロセッシングオペレーター間の相互関係を説明する図である。
【００２４】
【図２】図２は、特徴付けられたワイヤレス信号を使用するモバイルメッセージング方法の典型的な応用例を説明する図である。
【実施例】
【００２５】
本発明の最も好ましい実施態様を、図を参照して以下に説明する。ここで、同じ参照番号は、同一又は機能的に同じ要素を示す。特定の形状や配置が論じられる場合、それは説明目的のためだけになされていると理解されるべきである。当業者なら、発明の範囲から逸脱することなく、他の形状や配置を用いることができると認識するだろう。
【００２６】
本発明は、頻繁に非常に短い時間見せられる、放送におけるプロモーションメッセージの影響を高める方法を提供する。
【００２７】
本発明においては、視聴者とは、プロモーションメッセージの受信者のことをいう。プロモーターとは、プロモーションオペレーターのプラットフォームにプロモーションメッセージを配置したいプロモーターのことをいう。プロモーターは、プロモーションオペレーター自身であり得る。プロモーションオペレーター（PO）とは、プロモーションプラットフォームを運営し、プロモーターのプロモーションメッセージを自分のプラットフォームに配置する業者のことをいう。プロモーションメッセージとは、プロモーターがプロモーションオペレーターのプラットフォーム（POP）を介して、端末で再生させたいプロモーションメッセージのことをいう。
【００２８】
端末は、プロモーションメッセージが再生される装置のことをいう。それは、テレビセット、デジタル看板、オーディオプレーヤー、音声送信機又はパソコンであり得るが、これらに制限されるものではない。特徴付けられたワイヤレス信号（CWS）とは、プロモーションキャンペーンと結び付けられたワイヤレス信号のことをいう。より広く網羅すれば、CWSは、ラジオ周波数の信号は勿論、超音波、赤外線、又は可視光線形式であってもよい、ワイヤレス信号のパターンを包含することができる。拡張されたプロモーションメッセージ（ExPM）とは、プロモーターが視聴者に対して、彼のモバイル機器にプッシュ配信したい、特別なプロモーションメッセージのことをいう。視聴者の人口統計記入用紙（ADF）とは、視聴者の特定の区分を識別するために用いられる調査用紙のことをいう。パラメーターコード（PC）とは、視聴者の特定の区分又は区分の組み合わせに割り当てられる特定のコードのことをいう。プロモーションオペレーターモバイルアプリケーション(POApp)とは、本発明で記載されたように機能する、プロモーターの特定のモバイルアプリケーションをいう。
【００２９】
本発明の方法を以下に説明する。このメッセージングモデルのユーザーは、プロモーター又は対象とされた視聴者であり得る。対象とされた視聴者は、自らのモバイル機器を使用して、プロモーションメッセージの拡張されたバージョン−拡張されたプロモーションメッセージ（ExPM）を受信することができる。このようなモバイル機器は、スマートフォンまたはタブレットであり得る。対象とされた視聴者は、プロモーションオペレーターモバイルアプリ（POApp）をインストールすることによって、ターゲットとされたプロモーションの受信を選択することができる。インストールプロセスの間に、視聴者の人口統計記入用紙（ADF）と呼ばれる調査用紙は、彼の関連情報を含む視聴者によって記入されなければならない。ADFは、プロモーションオペレーターのプラットフォーム（POP）にアップロードされる。次に、１つ以上の特性がこのADFから抽出され、特定の視聴者に結びつく１つ以上のパラメーターコード（PC）を生成する。１つ以上のPCは、各視聴者を１つ以上のカテゴリーに分類するために用いられる。１つ以上のカテゴリーは、マトリックス形式となった１つ以上の特性とマッチさせることができる。
【００３０】
好ましい実施態様においては、スポーツウエアを好む視聴者を、スポーツ用具を好む別の視聴者とマッチさせることができ、両視聴者は、それぞれが持つ特性を超えて、スポーツというより大きなカテゴリーマトリックスの中で考慮される。もう１つの実施態様では、健康的なライフスタイルというより大きなカテゴリーを包含するマトリックスが、一方でダイエット食品及び／又は健康補助食品、もう一方でスポーツ活動という二つの（又はそれ以上の）特性を持つ、２つの異なる視聴者のマッチを収容するために展開される。さらに別の実施態様が、レーシングゲームとシューティングゲームという二つの個々の特性を収容するビデオゲームというより大きなカテゴリーのために、地元の歌手と国際的な歌手というそれぞれ二人の特性のマッチに融通の利くＣＤレコードというより大きなカテゴリー、そして、ワイン及びビールという二つの異なる視聴者の二つの特性と共に採用されたアルコールのために、展開される。１つ以上の特徴付けられたワイヤレス信号(CWS)は、１つ以上のパラメーターコード（PC）に関連付けられる。対象とされた視聴者のモバイル機器は、彼がPOAppを介して選択したときに、CWSを受信するように適応させられる。
【００３１】
本発明の更なる実施態様の１つでは、１つのパラメーターコード（PC）が、２以上の、特徴付けられたワイヤレス信号に関連付けられ；又は、２以上のパラメーターコード（PC）が、特徴付けられた同じワイヤレス信号に関連付けられてもよい。
【００３２】
特徴付けられたワイヤレス信号(CWS)とは、これらに制限されるものではないが、超音波クリップ類、赤外線信号、又はワイヤレスラジオ波信号形式の短いワイヤレス信号であり、これらは、特定の周波数又は特定の音声パターンに変調された周波数レンジとなるように設計される。即ち、ある特定の周波数又はいくつかの異なる周波数を組み合わせて、若しくは、１つ又はいくつかの周波数レンジを組み合わせて作動し、同一又は異なる長さの短い間隔（典型的には２秒から３秒）で、１又は数回繰り返されるパターンになるように、各CWSは設計される。POAppはCWSを受信するように設計され、モバイル機器のユーザー当たり、１つ以上の特定タイプのCWSに応答するように順応させられる。この特定のタイプのCWSは、１つの周波数又はいくつかの指定された周波数の組み合わせ、若しくは、指定されたパターン内で変調された、１つ又はいくつかの指定された周波数レンジの中に存在し得る。この特定のCWSは、特定の視聴者によって提出されたADFに基づく。
【００３３】
視聴者の１つ以上の特定カテゴリーは、１つ以上の特定の特性を持つよう定義される。プロモーターは、プロモーションオペレーターのプラットフォーム(POP)を介して、１つ以上のパラメーターコード（PC）によって特定される１つ以上のカテゴリーに、視聴者を分類する。各カテゴリーは、同一のPCに割り当てられた特定のCWSとリンクされている。１つ以上のカテゴリーは、１つ以上の特性とマトリックスの形式で、マッチすることができる。上記の例では、特定のCWSを介して対応するPCに割り当てられた各視聴者以外の、本発明におけるスポーツウエア及びスポーツ用具を気に入った視聴者が、更なる独自のPCで選択されるマトリックスにおいて、より大きなカテゴリーに割り当てられる更なるCWSに応答するように選択される。従って、好ましい実施態様では、一連の数字がPCとして配置される。このような一連の数字は、一方では、個々の特性を指定する多くのグループに分類され、他方では、より大きなカテゴリーとそのサブセットに分類される。好ましい実施態様では、９個の数字からなるPCは、三つのグループに分けられる；例えば、PC xxxyyyzzzにおけるxxxは、最も高いカテゴリーの「エンターテインメント」を表す000から999の数字で、このようなxxxの変化は、他のより大きくて異なるカテゴリーを表すために配置される；ここで、yyyは、「ビデオゲーム」というより小さなカテゴリーを表す000から999の数字で、このyyyにおける変化は、個々の特性のマッチングの組み合わせを表すこの層において、別のマトリックスを表すために配置される；ここで、zzzは、「レーシングゲーム」という詳細なカテゴリーを表す000-999の数字で、このzzzにおける変化は、レーシングゲームの更にいっそう具体的な種類を表すために配置される。
【００３４】
プロモーターは、プロモーションオペレーターのプラットフォーム(POP)に対して、自分のプロモーション用のビデオクリップを提出することが求められる。プロモーターが、視聴者のモバイル機器を介して視聴者のターゲットとするカテゴリーに配信されることを希望する拡張されたプロモーションメッセージ（ExPM）を提出することによって、プロモーターはプロモーション効果を拡大することができる。プロモーションオペレーター（PO）は、ターゲットにする可能性が最も高い視聴者のカテゴリーを特定するように、プロモーターに依頼する。このことは、プロモーターに、視聴者の人口統計記入用紙のプロモーターバージョンに入力するよう依頼することによって行われる。本発明の実施態様の１つは、プロモーターが選択するカテゴリーが多いほど、プロモーションキャンペーンの費用が高価になるという場合であり得る。１つ以上のパラメーターコード（PC）はこのADFから作成され、これは、１つ以上のPCに対応する特定のCWSにマッチする。マッチングしたCWSは、プロモーターのプロモーションメッセージに組み込まれ、メッセージが端末で再生されるとき、CWSが同時に送信される。
【００３５】
これらに制限されるものではないが、テレビセット又はデジタル看板等の、プロモーションメッセージが再生される端末で、統合されたCWSが同時にはじける。その特別のCWSのためにアクティブ化されたモバイル機器を有する、意図された視聴者のために、それは、プロモーションオペレーターモバイルアプリ（POApp）を介して信号を誘発させ、3G／4Gインターネット接続、インターネット、イントラネット又はありとあらゆる種類のワイヤレス通信を通じて、プロモーションオペレーター（PO）のサーバー（即ち、POP）に送られる。POのサーバーがその特定の視聴者からメッセージを受信すると、POは、再生プロモーションメッセージのために拡張されたプロモーションメッセージ（ExPM）を引き出し、プロモーションメッセージと同期しながら、リアルタイムでマッチングした視聴者のモバイル機器に配信する。このようにして、現在再生中のプロモーションメッセージと関連する、特定の１つ以上のカテゴリーの視聴者だけが、視聴者のモバイルを介してマッチングした、拡張されたプロモーションメッセージ（ExPM）を受信する。
【００３６】
本発明の更なる実施態様の１つでは、１つ以上の特定カテゴリーの視聴者が、マッチングした１つのExPM又は一連のExPMを受信した後、このような１つ以上の特定カテゴリーの視聴者は、１つのExPM又は一連のExPMからなる他のセットを受信する。
【００３７】
本発明の操作方法を以下に説明する。視聴者側では、視聴者はプロモーションオペレーターモバイルアプリ（POApp）をインストールすることを選択する。それは、デジタル表記又はディスプレイコンテンツで表示されたQRコードの写真をクリックすることによって始めることができる。POAppをインストールするプロセスの間、視聴者は、自分の携帯電話を通じて調査用紙（視聴者の人口統計記入用紙-ADF）に入力するよう要求される。次に、調査結果は、プロモーションオペレーター（PO）のサーバーに送られて処理され、１つ以上のパラメーターコード（PC）が、特定の人口統計を表すこの視聴者に結びつくように生成される。次いで、PCは視聴者に送り返され、モバイル機器がすべての無関係なCWSを除去し、マッチングしたCWSだけに反応するようにPOAppに統合される。
【００３８】
視聴者が、個人向けのデジタルプロモーションメッセージを受け取る選択をする時、視聴者の携帯電話は、マッチングしたCWSを受信するために待機している。端末（テレビ、デジタル看板又は音声送信機）から、マッチングしたCWSがはじけたとき、プロモーションオペレーターモバイルアプリ（POApp）はプロモーションオペレーターのサーバーに信号を送り、マッチングしたCWSをモバイル機器に送るようサーバーに要求することによって、視聴者の携帯電話が、特定の１つ又は一連の拡張されたプロモーションメッセージ（ExPM）を受信できるようにする。マッチングしたExPMは、3G／4Gワイヤレスインターネット接続、インターネット又はイントラネット、その他任意の種類のワイヤレス通信を介して送られ、これらは制限されるものではない。それは、メッセージ、ストリーミングビデオ、ウェブサイト、又は単なるインターネットリンクであってもよいが、これらに制限されるものではない。
【００３９】
本発明の更なる実施態様では、視聴者のモバイル機器が、マッチングした、特徴付けられたワイヤレス信号を認識することができる場合でも、視聴者は、プロモーションオペレーターからの望まない拡張されたプロモーションメッセージにフィルターをかけることができる。
【００４０】
本発明の更なる実施態様では、視聴者のモバイル機器が、ある特徴付けられたワイヤレス信号を認識することしかできない場合でも、視聴者のモバイル機器は、端末からはじけたすべての特徴付けられたワイヤレス信号に応答することができ、プロモーションオペレーターからすべての拡張されたプロモーションメッセージを受信することができる。この実施態様に加えて、視聴者は、プロモーションオペレーターからの望まない拡張されたプロモーションメッセージにフィルターをかけることもできる。
【００４１】
本発明の更なる実施態様では、次いで、即時オンライン購入や、プロモーションに関するより多くの情報の取得、又は、後の行動のための自己のパソコン又はモバイル機器への情報の保管というような、更に進んだ行動を視聴者は行うことができる。本発明の更なる実施態様では、視聴者は、後の行動のために、自己のパソコン又はモバイル機器に、マッチングしたコンテンツを自動的に保存することを選択することもできる。
【００４２】
プロモーター側では、プロモーションオペレーター（PO）の依頼により、プロモーターは、特定の時間に端末（テレビ又はデジタル看板）で再生する自己のプロモーションメッセージを提出する。同時に、プロモーターは、インターネット／イントラネット又はあらゆるワイヤレス通信を介して視聴者のモバイル機器にプッシュ配信できる、更なるプロモーションメッセージ（拡張されたプロモーションメッセージ-ExPM）を提出する。プロモーターは、プロモーターが目標にしたい視聴者の人口統計記入用紙（視聴者デモグラフィフォーム−ADF）に入力することが求められる。本発明の更なる実施態様の１つでは、セクターが大きくなればなるほど、プロモーターに対する費用がかさむ。１つ以上のパラメーターコード（PC）が、ADFから生成される。
【００４３】
本発明の更なる実施態様の１つでは、視聴者が特定のCWSを受信する場合であっても、プロモーションのコストを減らすために又はそのプロモーションのための視聴者の数を制限するために、プロモーターが望まない視聴者にフィルターをかけることを許容する。
【００４４】
プロモーションメッセージが関連するCWSと統合され、特定の時間に端末で再生されるように、PCは特定のCWSに結びづけられる。
【００４５】
プロモーションオペレーター側では、プロモーションオペレーター（PO）が、視聴者の人口統計記入用紙（視聴者デモグラフィフォーム−ADF）をデザインする。視聴者かそれともプロモーターかが視聴者の人口統計記入用紙（ADF）に入力すると、その人口統計を独自に指定する１つ以上のパラメーターコード（PC）が生成される。人口統計（デモグラフィ）は、特定の特性を持つ視聴者の、幾つかの特定の区分を組み合わせたものであれば良い。
【００４６】
プロモーションオペレーター（PO）は、同じ又は異なる長さの短い間隔で繰り返される、１つの特定の周波数、若しくは、いくつかの異なる周波数の組み合わせ、又は、決められたパターンに変調されたいくつかの異なる周波数、若しくは、１つの周波数レンジ、若しくは、いくつかの周波数レンジの組み合わせ、又は、決められたパターンに変調された、いくつかの周波数レンジに含まれる信号を区別することによって、特徴付けられたワイヤレス信号(CWS)を１つのシリーズに定義する。独自の各CWSは、１以上のパラメーターコード（PC）に割り当てられる。
【００４７】
プロモーションメッセージが端末で再生されるとき、プロモーションメッセージと統合された特定のCWSがはじける。
【００４８】
ターゲットとするプロモーションメッセージ及びマッチングしたCWSを受信するよう選択された視聴者のモバイルが、プロモーションメッセージと一緒にはじける[blasted]とき、POAppは、１つ又は一連のマッチングした拡張されたプロモーションメッセージ（ExPM）が、視聴者の更なる行動のために視聴者のモバイル機器にプッシュ配信されるように、POのプラットフォームに信号を誘発させる。
【００４９】
更に本発明は、ワイヤレス信号とモバイルメッセージングを手段とする、視聴者、プロモーター、プロモーションオペレーター及び端末の間における信号の交信システムを含む。
【００５０】
本発明のシステムの構成要素は、本発明の方法の構成要素に対応し、本発明に記載される方法と連動して用いることができる。
【００５１】
本発明のシステムは、少なくとも１つの視聴者のモバイル機器を包含する。インストールされて視聴者の各モバイル機器に流れ込み、端末からのマッチングした特徴付けられたワイヤレス信号を認識及び応答するようにアクティブ化すべく適応されたプロモーションオペレーターモバイルアプリは、視聴者からの信号をプロモーションオペレーターに誘発し、視聴者のモバイル機器中にある、マッチングした拡張プロモーションメッセージを１つ以上受け取る。調査用紙、即ち視聴者の人口統計記入用紙（ADF）の視聴者バージョンには、視聴者によって入力された視聴者の関連情報が含まれ、前記視聴者の人口統計記入用紙の情報は、プロモーションオペレーターのプラットフォームにアップロードされる。
【００５２】
サーバー側では、プロモーションオペレーターの処理ユニット又はプラットフォームが、前記視聴者の人口統計記入用紙の視聴者バージョンから、特性を抽出する。プロモーションオペレーターは、特定の人口統計（demography）を表す視聴者に関連する１つ以上のパラメーターコードを作成する。プロモーションオペレーターは、１つ以上のパラメーターコードを用い、視聴者を１つ以上のカテゴリーに分類する。プロモーションオペレーターは、特徴付けられたワイヤレス信号をパラメーターコードに割り当てる。プロモーションオペレーターは、特定の特徴付けられたワイヤレス信号を認識するようにアクティブ化されたプロモーションオペレーターモバイルアプリと１つ以上のパラメーターコードを統合する視聴者に、１つ以上のパラメーターコードを送り返す。プロモーションオペレーターは、視聴者の人口統計記入用紙のプロモーターバージョンから１つ以上のパラメーターコードを作成する。プロモーションオペレーターは、視聴者の人口統計記入用紙のプロモーターバージョンから作成されたパラメーターコードに、独自の、特徴付けられたワイヤレス信号を割り当てる。プロモーションオペレーターは、リアルタイムでプロモーションメッセージと同期しながらマッチングした視聴者のモバイル機器に、拡張されたプロモーションメッセージを配信する。更に、少なくとも１つのデータベースが、特徴付けられたワイヤレス信号を保存しているサーバーに存在する。加えて、少なくとも１つのデータベースが、拡張されたプロモーションメッセージを保存しているサーバーに存在する。
【００５３】
更に、本システムは、プロモーションオペレーターのプラットフォームに、プロモーションメッセージを提出する、少なくとも１つのプロモーターの端末を包含する。プロモーターが、ターゲットとする視聴者のカテゴリーへの配信を希望し、特徴付けられたワイヤレス信号をプロモーターのプロモーションメッセージと統合する拡張されたプロモーションメッセージを、プロモーターが提出する。調査フォーム、すなわち視聴者の人口統計記入用紙のプロモーターバージョンは、プロモーターがプロモーションオペレーターに、ターゲットにして欲しい視聴者の人口統計を記載するものであり、プロモーターによって入力される。
【００５４】
更に本システムは、プロモーションメッセージを再生すると同時に特徴付けられたワイヤレス信号がはじける（blasting）、少なくとも１つの端末装置を包含する。
【００５５】
図１は、特徴付けられたワイヤレス信号のモバイルメッセージング方法における、受信者側、送信者側及びプロセッシングオペレーター間の相互関係を説明する。
【００５６】
図１参照。受信者側において、第1に、スマートフォン１０１を使う視聴者は、対話型モバイルアプリ（IMA）をインストールする。第２に、受信者側の視聴者は、IMAが入ったスマートフォン102を介して、視聴者の人口統計記入用紙(ADF)をIMAに入力する。第３に、視聴者は、IMAが入ったスマートフォン102を介して、ADF（受信者バージョン）を、プロセッシングオペレーター104にあるサーバー103に提出する。サーバー103は、ADFを処理し、ADFの特性を抽出する。第４に、プロセッシングオペレーター104にあるサーバー103は、受信者を１つ以上のカテゴリーに独自に分類する、パラメーターコード（PC）を作成する。プロセッシングオペレーター104にあるサーバー103もまた、コンピューター処理ユニットを含み、１つ以上のカテゴリーを１つ以上の特性とマッチングさせるマトリックス化を行い、望まない視聴者の排除を行う。登録されたパラメーターコードの入ったスマートフォンは、プロセッシングオペレーターのデータベース106にある関連性のないウエーブクリップ105全てを除去し、マッチングしたウエーブクリップ105だけに反応する。ウエーブクリップ105は、二個の信号からなる短いビデオクリップである。信号の１つは、超音波で動作する（20,000ヘルツ以上）。もう１つの信号は、超低周波で動作する（20ヘルツ以下）。独自のウエーブクリップそれぞれは、１つのパラメーターコードに割り当てられる。
【００５７】
送信者側では、第１に、ターゲットとする受信者カテゴリーを特定するために、送信者が視聴者の人口統計記入用紙(ADF)を入力する。視聴者の人口統計記入用紙は、性別、年齢、習慣、関心のあるサービス、関心のある商品及び／又は趣味等を含む項目で構成される。また送信者は、サーバーのデータベースに、拡張されたメディアコンテンツ(EMC)107を提供する。拡張されたメディアコンテンツ(EMC)は、拡張されたプロモーションメッセージの一例である。送信者が、受信者のモバイル機器を介してターゲットとするカテゴリーの受信者に配信することを望む、拡張されたメディアコンテンツ(EMC)107は、放送効果を拡張するために用いられる。上記機器は、ストリーミングビデオ、ウエブサイト又はインターネットリンクであり得る。その後受信者は、例えば、即時オンライン購入を行う、商品に関する更なる情報を得る、後の動作のためスマートフォンに情報を保存するといったような、更なる動作ができる。拡張されたメディアコンテンツ（EMC）の１つは、送信又は／及びスマートフォン101へ返送するために、１つのビデオクリップ108に関連づけられる。第２に、送信者は、プロセッシングオペレーター104にあるサーバー103に、ADF（送信者バージョン）を提出する。第３に、プロセッシングオペレーター104にあるサーバー103は、１つ以上のカテゴリーに独自に受信者を分類するパラメーターコード（PC）を１つ以上作成し、ウエーブクリップが保存されているデータベースに送る。第４に、プロセッシングオペレーター104にあるサーバー103は、パラメーターコードと関連する、超音波クリップ(USC)及び／又は超低周波チップの形式（これらに制限されるものではない）である、ワイヤレス信号を探す。第5に、プロセッシングオペレーター104にあるサーバー103は、パラメーターコードを用いて、サーバーから作成された関連するウエーブクリップ105を返送する。第6に、作成されたウエーブクリップ105、すなわちマッチングしたウエーブクリップ105は、放送用ビデオクリップ108の１つに埋め込まれる。テレビ又はデジタル看板等の端末は、放送用ビデオクリップと統合された特定のウエーブクリップ105を放送する。
【００５８】
図２は、特徴付けられたワイヤレス信号を用いたモバイルメッセージング方法の、典型的な応用例を説明する図である。
【００５９】
図２参照。実施例では、端末201は、パラメーターコード003に関連づけられている、１つの、マッチングしたウエーブクリップに組み込まれているビデオクリップを放送している。端末201は、テレビ又はデジタル看板でも良い。
【００６０】
同時に、対話型モバイルアプリ（IMA)202が入ったスマートフォンは、パラメーターコード（PC）ナンバー001で登録される。しかしながら、スマートフォン202は、パラメーターコードナンバー001を有するウエーブクリップに応答するだけであり、パラメーターコードナンバー001を有する、マッチングした拡張されたメディアコンテンツ(EMC)を再生するものの、パラメーターコードナンバー003を有するものは再生しない；すなわち、そのスマートフォンは、どの拡張メディアコンテンツ(EMC)も再生しない。
【００６１】
同時に、対話型モバイルアプリ（IMA)203が入ったスマートフォンは、パラメーターコード（PC）ナンバー002で登録される。しかしながら、スマートフォン203は、パラメーターコードナンバー002を有するウエーブクリップに反応するだけであり、パラメーターコードナンバー002を有する、マッチングした拡張されたメディアコンテンツ(EMC)を再生するものの、パラメーターコードナンバー003を有するものは再生しない。すなわちそのスマートフォンは、どの拡張されたメディアコンテンツ(EMC)も再生しない。
【００６２】
同時に、対話型モバイルアプリ（IMA)204がはいったスマートフォンは、パラメーターコード（PC）ナンバー003で登録される。スマートフォン204は、パラメーターコードナンバー003を有するウエーブクリップに反応するだけであり、パラメーターコードナンバー003を有する、マッチングした拡張されたメディアコンテンツ(EMC)を再生する。第１に、そのスマートフォン204はプロセッシングオペレーター(PO)に信号を送り、インターネット、イントラネット又はあらゆるワイヤレス通信を介して、マッチングした拡張されたメディアコンテンツ(EMC)をモバイル機器に送るようサーバーに依頼する。第２に、プロセッシングオペレーターは、パラメーターコード（PC）ナンバー003を有する、マッチングした拡張されたメディアコンテンツ(EMC)を受信者モバイル機器にプッシュ配信する。第３に、端末で現在再生されているこのビデオクリップに関連付けられた拡張されたメディアコンテンツ(EMC)が、モバイル機器で受信される。次いで、スマートフォン204は、拡張されたメディアコンテンツ(EMC)を再生する。
【００６３】
本発明で述べられる方法は、モバイルメッセージング、テレビプロモーション、デジタル家庭外視聴者プロモーション、店頭プロモーション、場所特定プロモーション、オンラインビデオ、アナウンス、又は、映画や公共スポット等の他のメディアで用いることができるが、これらに制限されるものではない。この方法のメリットは、メッセージング、プロモーション、又は、アナウンスが、放送モードになっていないことである。モバイル機器を介した特定のタイプの視聴者の選択を目標にすることができる。
【００６４】
また、特定のカテゴリー又は現在再生中のプロモーションメッセージに関連付けられたカテゴリーの視聴者だけが、視聴者のモバイル機器を通じて、マッチングした１つ又は一連の拡張プロモーションメッセージ(ExPM)を受信する。
【００６５】
上記の実施態様で説明するように、当業者が思い付くと思われるその変更や他の用途は、特許請求の範囲によって定義されるような本発明の範囲内に含まれる。
【００６６】
この明細書に引用されたあらゆる特許又は特許出願を含むすべての引用文献は、たとえあったとしても、言及することにより本明細書に組み込まれる。どの文献も先行技術を構成しているとは認められない。
【００６７】
文献の考察部分は、文献の著者が主張することを述べているものであり、出願人は、引用文献の正確さと適切さに異議を申し立てる権利を留保する。ここでは沢山の公開された先行技術について言及されているが、これらの文献のどれかが、もしあるとしても、世界のどこかで技術的な一般常識の一部を形成するとは認められないということが明確に理解されるだろう。
【００６８】
本発明の目的は、前述した課題に取り組むこと、或いは、少なくとも役に立つ他の選択肢を社会に提供することである。
【００６９】
本発明の更なる態様及び効果は、実施例としてのみ保証する記載から容易に明らかになるであろう。
【図１】
0006367494.tif 000002
【図２】
0006367494.tif 000003